(57)【要約】【課題】経年劣化に伴う故障や省エネ効率の悪化が発生した状態や、経年劣化に伴う故障や省エネ効率の悪化が発生し易い状態を検出して、製品寿命末期の故障による事故や省エネ効率の悪化を未然に防ぐことができる空気調和装置を得る。【解決手段】当該空気調和装置の運転状態データを取得する測定部１０３と、運転状態データに基づいて、圧縮機１の運転容量、室外送風機４の風量、室内送風機８の風量、及び膨張弁５の開度の少なくとも１つを制御する制御部１０１と、運転状態データが記憶される記憶部１０４とを備え、制御部１０１は、運転状態データが所定の条件を満たしたとき、当該運転状態データの情報を記憶部１０４に記憶させ、記憶部１０４に記憶された運転状態データと、現在の運転状態データとを比較して、当該空気調和装置の異常状態又は異常の予兆を検出するものである。【選択図】図１
2010210121.tif 000002
【特許請求の範囲】
【請求項１】
圧縮機と、膨張弁と、熱源側熱交換器と、前記熱源側熱交換器に送風する室外送風機とを有する室外機と、利用側熱交換器と、前記利用側熱交換器に送風する室内送風機とを有する室内機とを備えた空気調和装置において、
当該空気調和装置の運転状態データを取得する測定部と、
前記運転状態データに基づいて、前記圧縮機の運転容量、前記室外送風機の風量、前記室内送風機の風量、及び前記膨張弁の開度の少なくとも１つを制御する制御部と、
前記運転状態データが記憶される記憶部と、
を備え、
前記制御部は、
前記運転状態データが所定の条件を満たしたとき、当該運転状態データの情報を前記記憶部に記憶させ、
前記記憶部に記憶された運転状態データと、現在の運転状態データとを比較して、当該空気調和装置の異常状態又は異常の予兆を検出する
ことを特徴とする空気調和装置。
【請求項２】
前記測定部は、前記運転状態データとして、
前記室外機に流入する外気温度、前記室内機に流入する室内空気温度、運転モード、設定温度、前記室内送風機の設定風量、前記圧縮機の冷媒吐出温度、前記圧縮機の運転容量、及び前記膨張弁の開度の少なくとも１つを取得する
ことを特徴とする請求項１記載の空気調和装置。
【請求項３】
前記制御部は、
少なくとも、前記室外機に流入する外気温度と、前記圧縮機の運転容量と、当該空気調和装置の運転モードとに基づき、当該空気調和装置の設置場所における現在の季節を判断し、
前記記憶部に当該季節における運転状態データの情報が記憶されていないとき、当該季節を識別する情報と共に、現在の運転状態データの情報を前記記憶部に記憶させ、
前記記憶部に記憶された現在の季節に対応する過去の運転状態データと、現在の運転状態データとを比較して、当該空気調和装置の異常状態又は異常の予兆を検出する
ことを特徴とする請求項１又は２記載の空気調和装置。
【請求項４】
前記制御部は、
前記季節のサイクルの経過を判断し、当該サイクルの当該季節における運転状態データの情報が前記記憶部に記憶されていないとき、当該サイクル数及び季節を識別する情報と共に、現在の運転状態データの情報を前記記憶部に記憶させる
ことを特徴とする請求項３記載の空気調和装置。
【請求項５】
前記制御部は、
前記記憶部に記憶された運転状態データと、現在の運転状態データとの差が所定の閾値を超えたとき、当該空気調和装置の異常状態を検出する
ことを特徴とする請求項１〜４の何れかに記載の空気調和装置。
【請求項６】
前記制御部は、
現在の運転状態データが正常運転状態の範囲内であって、且つ、前記記憶部に記憶された運転状態データと、現在の運転状態データとの差が所定の閾値を超えたとき、異常の予兆を検出する
ことを特徴とする請求項１〜５の何れかに記載の空気調和装置。
【請求項７】
前記制御部は、
当該空気調和装置の運転時間の積算値を求め、該運転時間の積算値に応じて、前記所定の閾値を変化させる
ことを特徴とする請求項５又は６記載の空気調和装置。
【請求項８】
前記異常状態又は異常の予兆を報知する報知手段を備えた
ことを特徴とする請求項１〜７の何れかに記載の空気調和装置。
【請求項９】
前記制御部は、
単位期間における当該空気調和装置の運転頻度を検出し、該運転頻度が所定の頻度より少ないとき、前記異常状態又は異常の予兆を前記報知手段に報知させる
ことを特徴とする請求項８記載の空気調和装置。
【請求項１０】
前記制御部からの情報を受信し、該情報を表示するリモコンを備え、
前記制御部は、
前記異常状態又は異常の予兆を検出したとき、当該異常状態又は異常の予兆を検出した運転状態データに応じて予め設定された所定の情報を、前記リモコンに送信する
ことを特徴とする請求項１〜９の何れかに記載の空気調和装置。
【請求項１１】
前記所定の情報として、前記異常状態に対するユーザーの対処方法、又は前記異常の予兆に対する運転への影響の情報が設定される
ことを特徴とする請求項１０記載の空気調和装置。
【発明の詳細な説明】
【技術分野】
【０００１】
この発明は、空気調和装置に関する。
【背景技術】
【０００２】
従来の技術においては、例えば、「設備機器（２ａ，２ｂ）を構成する部品（６６ａ，６６ｂ，７２，７８）の交換時期に影響を与えるパラメータ（Ｘ，Ｙ）の過去の推移を示す過去データを記憶する記憶部（４１）と、前記過去データを前記パラメータ（Ｘ，Ｙ）の現在からの推移を示す将来データとして用いて前記交換時期を予測する予測部（４１）と、を備える部品交換時期予測装置（４）。」が提案されている（例えば、特許文献１参照）。
【０００３】
また、例えば、「設備機器（２ａ，２ｂ，２ｃ）と、前記設備機器（２ａ，２ｂ，２ｃ）の状態を示す状態データを記憶する記憶部（４１）と、前記記憶部（４１）に蓄積された過去の前記状態データのうち正常時の前記設備機器（２ａ，２ｂ，２ｃ）の状態を示す正常データから、正常時の前記状態データを推定するための正常モデルを生成する正常モデル生成部（４３）と、前記記憶部（４１）に蓄積された過去の前記状態データのうち異常時の前記設備機器（２ａ，２ｂ，２ｃ）の状態を示す劣化データから、異常時の前記状態データを推定するための劣化モデルを生成する劣化モデル生成部（４４）と、実測された前記状態データである実測データと前記正常モデルによって導出された推定正常データとの乖離度合いと、前記劣化モデルによって導出された推定劣化データと前記実測データとの一致度合いとに基づいて、前記設備機器（２ａ，２ｂ，２ｃ）における異常発生を予知する異常予知部（４５）と、を備える設備機器の異常予知システム（１）。」が提案されている（例えば、特許文献２参照）。
【先行技術文献】
【特許文献】
【０００４】
【特許文献１】特開２００４−３４０５４９号公報（請求項１）
【特許文献２】特開２００６−３４３０６３号公報（請求項１）
【発明の概要】
【発明が解決しようとする課題】
【０００５】
従来の技術においては、経年劣化に伴う故障や省エネ効率の悪化が発生した状態（以下「異常状態」ともいう。）や、経年劣化に伴う故障や省エネ効率の悪化が発生し易い状態（以下「異常の予兆」ともいう。）を精度良く検出することができない、という問題点があった。
このため、製品寿命末期の故障による事故や省エネ効率の悪化を未然に防ぐことができない、という問題点があった。
【０００６】
この発明は、上記のような課題を解決するためになされたもので、経年劣化に伴う故障や省エネ効率の悪化が発生した状態や、経年劣化に伴う故障や省エネ効率の悪化が発生し易い状態を検出して、製品寿命末期の故障による事故や省エネ効率の悪化を未然に防ぐことができる空気調和装置を得る。
【課題を解決するための手段】
【０００７】
この発明に係る空気調和装置は、
圧縮機と、膨張弁と、熱源側熱交換器と、前記熱源側熱交換器に送風する室外送風機とを有する室外機と、利用側熱交換器と、前記利用側熱交換器に送風する室内送風機とを有する室内機とを備えた空気調和装置において、
当該空気調和装置の運転状態データを取得する測定部と、
前記運転状態データに基づいて、前記圧縮機の運転容量、前記室外送風機の風量、前記室内送風機の風量、及び前記膨張弁の開度の少なくとも１つを制御する制御部と、
前記運転状態データが記憶される記憶部と、
を備え、
前記制御部は、
前記運転状態データが所定の条件を満たしたとき、当該運転状態データの情報を前記記憶部に記憶させ、
前記記憶部に記憶された運転状態データと、現在の運転状態データとを比較して、当該空気調和装置の異常状態又は異常の予兆を検出するものである。
【発明の効果】
【０００８】
この発明は、記憶部に記憶された運転状態データと、現在の運転状態データとを比較して、当該空気調和装置の異常状態又は異常の予兆を検出するので、経年劣化に伴う故障や省エネ効率の悪化が発生した状態や、経年劣化に伴う故障や省エネ効率の悪化が発生し易い状態を検出して、製品寿命末期の故障による事故や省エネ効率の悪化を未然に防ぐことができる。
【図面の簡単な説明】
【０００９】
【図１】実施の形態１に係る空気調和装置を概略的に示す冷媒回路図である。
【図２】実施の形態１に係る運転制御手段１００の構成を示す図である。
【図３】実施の形態１に係る運転状態データの収集を説明する図である。
【図４】製品寿命末期の故障による事故発生を説明する図である。
【発明を実施するための形態】
【００１０】
実施の形態１．
（構成）
図１は実施の形態１に係る空気調和装置を概略的に示す冷媒回路図である。
図１に示すように、本実施の形態における空気調和装置は、室外機３０１と、室内機３０２とを備える。
【００１１】
この空気調和装置は、蒸気圧縮式の冷凍サイクル運転を行うことによって、屋内の冷暖房に使用される装置である。
【００１２】
＜室内機＞
室内機３０２は、屋内の天井に埋め込みや吊り下げ等により設置され、又は屋内の壁面に壁掛け等により設置され、液接続配管６及びガス接続配管９を介して室外機３０１に接続されて冷媒回路の一部を構成している。
以下、室内機３０２の詳細な構成について説明する。
【００１３】
室内機３０２は、利用側熱交換器である室内熱交換器７と、室内送風機８とを有する。
【００１４】
室内熱交換器７は、例えば伝熱管と多数のフィンとにより構成されるクロスフィン式のフィン・アンド・チューブ型熱交換器からなる。
この室内熱交換器７は、冷房運転時には冷媒の蒸発器として機能して室内の空気を冷却し、暖房運転時には冷媒の凝縮器として機能して室内の空気を加熱する。
【００１５】
室内送風機８は、室内熱交換器７に付設され、室内熱交換器７に供給する空気の流量を可変することが可能なファン、例えばＤＣファンモータ（図示せず）によって駆動される遠心ファンや多翼ファン等からなる。
この室内送風機８は、室内機３０２内に室内空気を吸入し、室内熱交換器７により冷媒との間で熱交換した空気を供給空気として室内に供給する機能を有する。
【００１６】
また、室内機３０２には、各種のセンサが設置されている。
すなわち、室内熱交換器７の液側には、液状態又は気液二相状態の冷媒の温度を検出する液側温度センサ２０５が設けられている。
また、室内熱交換器７には、気液二相状態の冷媒の温度を検出するガス側温度センサ２０７が設けられている。
さらに、室内機３０２の室内空気の吸入口側には、当該室内機３０２内に流入する室内空気の温度（吸込空気温度）を検出する室内温度センサ２０６が設けられている。
【００１７】
なお、室内温度センサ２０６を、室内機３０２の室内空気の吹出口側に設けて、室内機３０２内から吐出する室内空気の温度（吹出空気温度）を検出するようにしても良い。
なお、液側温度センサ２０５、ガス側温度センサ２０７、及び室内温度センサ２０６は、例えばサーミスタにより構成されている。
【００１８】
室内送風機８は、これらセンサの検出値に応じて運転制御手段１００（後述）によって制御される。
【００１９】
＜室外機＞
室外機３０１は、屋外に設置されており、液接続配管６及びガス接続配管９を介して室内機３０２に接続されており、冷媒回路の一部を構成している。
以下、室外機３０１の詳細な構成について説明する。
【００２０】
室外機３０１は、圧縮機１と、四方弁２と、熱源側熱交換器としての室外熱交換器３と、室外送風機４と、膨張弁５とを有する。
【００２１】
膨張弁５は、室外機３０１の液側に接続配置されている。
この膨張弁５は、絞り開度が可変であり、冷媒回路内を流れる冷媒の流量の調節等を行う。
【００２２】
圧縮機１は、運転容量を可変することが可能であり、例えばインバータにより制御されるモータ（図示せず）によって駆動される容積式圧縮機を用いる。
この圧縮機１は、制御部１０１により制御される。
例えば、室内熱交換器７の室内温度センサ２０６と、後述するリモコン１０５の設定温度（目標値）との偏差に応じて制御される。
【００２３】
なお、本実施の形態では、圧縮機１が１台のみの場合を説明するが、これに限定されず、室内機３０２の接続台数等に応じて、２台以上の圧縮機１が並列に接続されたものであっても良い。
【００２４】
四方弁２は、冷媒の流れの方向を切り換えるための弁である。
この四方弁２は、冷房運転時には、圧縮機１の吐出側と室外熱交換器３のガス側とを接続するとともに、圧縮機１の吸入側とガス接続配管９側とを接続するように（図１の四方弁２の破線を参照）、冷媒流路を切り換える機能を有する。
これにより、室外熱交換器３を圧縮機１において圧縮される冷媒の凝縮器として、且つ室内熱交換器７を室外熱交換器３において凝縮される冷媒の蒸発器として機能させる。
【００２５】
また四方弁２は、暖房運転時には、圧縮機１の吐出側とガス接続配管９側とを接続するとともに、圧縮機１の吸入側と室外熱交換器３のガス側とを接続するように（図１の四方弁２の実線を参照）、冷媒流路を切り換える機能を有する。
これにより、室内熱交換器７を圧縮機１において圧縮される冷媒の凝縮器として、且つ室外熱交換器３を室内熱交換器７において凝縮される冷媒の蒸発器として機能させる。
【００２６】
室外熱交換器３は、例えば伝熱管と多数のフィンとにより構成されるクロスフィン式のフィン・アンド・チューブ型熱交換器からなる。
この室外熱交換器３は、そのガス側が四方弁２に接続され、その液側が液接続配管６に接続され、冷房運転時には冷媒の凝縮器として機能し、暖房運転時には冷媒の蒸発器として機能する。
【００２７】
室外送風機４は、室外熱交換器３に付設され、室外熱交換器３に供給する空気の流量を可変することが可能なファン、例えばＤＣファンモータ（図示せず）によって駆動されるプロペラファンからなる。
この室外送風機４は、室外機３０１内に室外空気を吸入し、室外熱交換器３により冷媒との間で熱交換した空気を室外に排出する機能を有する。
【００２８】
また、室外機３０１には、各種のセンサが設置されている。
すなわち、圧縮機１には、吐出温度を検出する吐出温度センサ２０１が設けられている。
また、室外熱交換器３には、気液二相状態の冷媒の温度（冷房運転時における凝縮温度又は暖房運転時における蒸発温度）を検出するガス側温度センサ２０２が設けられている。
さらに、室外熱交換器３の液側には、液状態又は気液二相状態の冷媒の温度を検出する液側温度センサ２０４が設けられている。
また、室外機３０１の室外空気の吸入口側には、当該室外機３０１内に流入する室外空気の温度すなわち外気温度を検出する室外温度センサ２０３が設けられている。
【００２９】
なお、圧縮機１、四方弁２、室外送風機４、及び膨張弁５は、これらセンサの検出値に応じて運転制御手段１００（後述）によって制御される。
【００３０】
＜制御系＞
図２は実施の形態１に係る運転制御手段１００の構成を示す図である。
図２に示すように、空気調和装置は、運転制御手段１００を備える。
運転制御手段１００は、制御部１０１、測定部１０３、記憶部１０４、リモコン１０５、報知部１０６を備える。
また、制御部１０１は、比較部１０２を有する。
【００３１】
リモコン１０５は、例えば使用者からの操作に基づいて、室内機３０２の吹出空気温度の設定値や室内送風機８の設定風量、運転モードなどを設定する。
また、リモコン１０５は、例えば液晶表示部を有し、制御部１０１からの情報を受信して当該情報を表示する。
【００３２】
測定部１０３は、当該空気調和装置の運転状態データを取得するものである。
測定部１０３は、運転状態データとして、室外機３０１に流入する外気温度、室内機３０２に流入する室内空気温度、運転モード、設定温度、室内送風機８の設定風量、圧縮機１の冷媒吐出温度、圧縮機１の運転容量、及び膨張弁５の開度の少なくとも１つを取得する。
また、測定部１０３は、上記に加え、運転状態データとして、室外送風機４及び室内送風機８の回転数や、圧縮機１、室外送風機４及び室内送風機８を駆動する駆動モータに供給される電流の少なくとも１つを取得するようにしても良い。
そして、測定部１０３は、取得した運転データの情報を制御部１０１に入力する。
【００３３】
制御部１０１は、運転状態データに基づいて、圧縮機１の運転容量、室外送風機４の風量、室内送風機８の風量、及び膨張弁５の開度の少なくとも１つを制御する。
制御部１０１は、例えばリモコン１０５から入力された設定温度や設定風量に基づいて、所望の制御目標範囲に収まるように各部を制御する。
【００３４】
また、制御部１０１は、運転状態データが所定の条件を満たしたとき、当該運転状態データの情報を記憶部１０４に記憶させる。詳細は後述する。
制御部１０１の比較部１０２は、記憶部１０４に記憶された運転状態データと、現在の運転状態データとを比較して、当該空気調和装置の異常状態又は異常の予兆を検出する。
【００３５】
記憶部１０４は、例えばフラッシュメモリなどの記憶装置で構成される。
この記憶部１０４には、運転状態データが記憶される。
また、記憶部１０４には、予め、異常状態又は異常の予兆を判断するための、所定の閾値（後述）が記憶される。
【００３６】
報知部１０６は、例えばブザーやスピーカ、ＬＥＤや液晶パネルなどにより構成することができる。
この報知部１０６は、制御部１０１からの指示により、異常状態又は異常の予兆を報知する。
なお、報知部１０６は、本発明における「報知手段」に相当する。
【００３７】
以上、本実施の形態における空気調和装置の構成を説明した。
次に、本実施の形態における空気調和装置の動作を説明する。
【００３８】
（動作）
まず、冷房運転及び暖房運転における各部の動作について説明する。
【００３９】
＜冷房運転＞
まず、冷房運転について、図１を用いて説明する。
【００４０】
冷房運転時は、四方弁２が図１の破線で示される状態に設定する。
すなわち、圧縮機１の吐出側が室外熱交換器３のガス側に接続され、且つ、圧縮機１の吸入側が室内熱交換器７のガス側に接続された状態となる。
また、膨張弁５は、圧縮機１の吸入側における冷媒の過熱度が所定値になるように開度調節される。
【００４１】
圧縮機１の吸入における冷媒の過熱度は、例えば、圧縮機吸入温度より、ガス側温度センサ２０７により検出される冷媒の蒸発温度を差し引くことによって求められる。
ここで、圧縮機吸入温度は、ガス側温度センサ２０７により検出される冷媒の蒸発温度を低圧の飽和圧力に換算し、ガス側温度センサ２０２により検出される冷媒の凝縮温度を高圧の飽和圧力に換算し、圧縮機１の吐出温度センサ２０１により検出される冷媒の吐出温度より、圧縮機１の圧縮工程はポリトロープ変化と仮定することにより算出することができる。
【００４２】
この冷媒回路の状態で、圧縮機１、室外送風機４及び室内送風機８を起動すると、低圧のガス冷媒は、圧縮機１に吸入されて圧縮されて高圧のガス冷媒となる。
その後、高圧のガス冷媒は、四方弁２を経由して室外熱交換器３に送られて、室外送風機４によって供給される室外空気と熱交換を行って凝縮されて高圧の液冷媒となる。
【００４３】
そして、この高圧の液冷媒は、膨張弁５によって減圧されて、低温低圧の気液二相冷媒となり、液接続配管６を経由して室内機３０２に送られ、室内熱交換器７で室内空気と熱交換を行って蒸発されて低圧のガス冷媒となる。
【００４４】
ここで、膨張弁５は、圧縮機１の吸入における過熱度が所定値になるように室内熱交換器７内を流れる冷媒の流量を制御しているため、室内熱交換器７において蒸発された低圧のガス冷媒は、所定の過熱度を有する状態となる。
このように、各室内熱交換器７には、室内機３０２が設置された空調空間において要求される運転負荷に応じた流量の冷媒が流れている。
【００４５】
この低圧のガス冷媒は、ガス接続配管９を経由して室外機３０１に送られ、四方弁２を経由して、再び、圧縮機１に吸入される。
【００４６】
＜暖房運転＞
次に、暖房運転について、図１を用いて説明する。
【００４７】
暖房運転時は、四方弁２が図１の実線で示される状態に設定する。
すなわち、圧縮機１の吐出側が室内熱交換器７のガス側に接続され、且つ圧縮機１の吸入側が室外熱交換器３のガス側に接続された状態となる。
また、膨張弁５は圧縮機１の吸入における冷媒の過熱度が所定値になるように開度調節される。
【００４８】
圧縮機１の吸入における冷媒の過熱度は、例えば、圧縮機吸入温度より、ガス側温度センサ２０２により検出される冷媒の蒸発温度を差し引くことによって求められる。
ここで、圧縮機吸入温度は、ガス側温度センサ２０２により検出される冷媒の蒸発温度を低圧の飽和圧力に換算し、ガス側温度センサ２０７により検出される冷媒の凝縮温度を高圧の飽和圧力に換算し、圧縮機１の吐出温度センサ２０１により検出される冷媒の吐出温度より、圧縮機１の圧縮工程はポリトロープ変化と過程することにより算出することができる。
【００４９】
この冷媒回路の状態で、圧縮機１、室外送風機４及び室内送風機８を起動すると、低圧のガス冷媒は、圧縮機１に吸入されて圧縮されて高圧のガス冷媒となり、四方弁２及びガス接続配管９を経由して、室内機３０２に送られる。
【００５０】
そして、室内機３０２に送られた高圧のガス冷媒は、室内熱交換器７において、室内空気と熱交換を行って凝縮されて高圧の液冷媒となった後、液接続配管６を経由して、膨張弁５によって減圧されて低圧の気液二相状態の冷媒となる。
【００５１】
ここで、膨張弁５は、圧縮機１の吸入における過熱度が所定値になるように室内熱交換器７内を流れる冷媒の流量を制御しているため、室内熱交換器７において凝縮された高圧の液冷媒は、所定の過冷却度を有する状態となる。
このように、各室内熱交換器７には、各室内機３０２が設置された空調空間において要求される運転負荷に応じた流量の冷媒が流れている。
【００５２】
この低圧の気液二相状態の冷媒は、室外機３０１の室外熱交換器３に流入する。
そして、室外熱交換器３に流入した低圧の気液二相状態の冷媒は、室外送風機４によって供給される室外空気と熱交換を行って凝縮されて低圧のガス冷媒となり、四方弁２を経由して再び、圧縮機１に吸入される。
【００５３】
このように、冷房運転及び暖房運転を含む運転処理が運転制御手段１００により行われる。
【００５４】
なお、高圧の圧力及び低圧の圧力を算出するのに、ここでは冷媒の凝縮温度及び蒸発温度より換算しているが、図１の構成に加え、圧縮機１の吸入側、吐出側に圧力センサを付加して直接圧力を求めるようにしても良い。
【００５５】
なお、図１の構成に加え、圧縮機１の吸入側に吸入圧力センサと吸入温度センサとを設け、これらの値から、冷媒の過熱度を検出するようにしても良い。
つまり、吸入圧力センサにより検出される圧縮機１の吸入圧力より、蒸発温度に対応する飽和温度値に換算し、吸入温度センサにより検出される冷媒温度値から、この冷媒の飽和温度値を差し引くことによって冷媒の過熱度を検出する。
【００５６】
＜運転状態データの収集＞
次に、運転状態データの収集動作について説明する。
【００５７】
図３は実施の形態１に係る運転状態データの収集を説明する図である。
図３においては、空気調和装置が日本国内に設置された場合において、四季を判断して、各季節ごとに行うデータ収集を示している。
【００５８】
まず、制御部１０１は、少なくとも、室外機３０１に流入する外気温度と、圧縮機１の運転容量と、当該空気調和装置の運転モードとに基づき、当該空気調和装置の設置場所における現在の季節を判断する。
例えば、夏を判断する条件として、外気温が３０℃以上、運転モードが「冷房」、圧縮機１の運転が所定時間以上連続で行われた場合、現在の季節が夏であると判断する。
同様に、秋、冬、春を判断する所定の条件に基づいて、現在の季節を判断する。
【００５９】
なお、季節を判断する所定の条件は、上記の運転状態データに限らず、例えば、所定期間における設定温度の平均値や、外気温と設定温度との差など、適宜設定することができる。
【００６０】
なお、この季節の判断する所定の条件は、当該空気調和装置が設置される場所に応じて、適宜設定することができる。例えば、熱帯気候の地域では、雨季と乾季とを判断するための条件を設定するようにしても良い。
【００６１】
次に、制御部１０１は、記憶部１０４に当該季節における運転状態データの情報が記憶されていないとき、当該季節を識別する情報と共に、現在の運転状態データの情報を記憶部１０４に記憶させる。
また、制御部１０１は、季節のサイクルの経過を判断し、当該サイクルの当該季節における運転状態データの情報が記憶部１０４に記憶されていないとき、当該サイクル数及び季節を識別する情報と共に、現在の運転状態データの情報を記憶部１０４に記憶させる。
【００６２】
ここで、季節を識別する情報としては、例えば日本国内においては、春夏秋冬を識別する符号などを設定する。
また、サイクル数を識別する情報として、例えば、経過年を示す数字などを設定する。
【００６３】
例えば図３において、当該空気調和装置の運転を開始して、始めて、現在の季節が夏であると判断したとき、制御部１０１は、記憶部１０４に、経過年が１年で、季節が夏の識別情報を有する運転状態データが記憶されているかを確認する。
ここでは、当該サイクルの当該季節のデータは記憶されていないので、制御部１０１は、測定部１０３により取得された運転状態データの情報を、記憶部１０４に記憶させる。
このとき、当該運転状態データには、サイクル数が１年目、季節が夏を識別する情報を付加する。
以降、同様に、各年の各季節について運転状態データを収集する。
【００６４】
なお、季節を判断する所定の条件を、同年の同じ季節に複数回満たした場合、代表データのみを記憶するようにしても良い。
例えば、所定の条件を満たしたデータのうち、制御指令値と実績値との差が最も大きい運転状態データを代表データとして記憶するようにしても良い。
【００６５】
なお、上記の運転状態データ加えて、異常履歴、通信データ等の情報を記憶するようにしても良い。
なお、記憶する運転状態データとしては、当該空気調和装置を構成する部品の交換時期に影響を与えるパラメータのみを記憶するようにしても良い。
【００６６】
このように、運転状態データの収集は、１年を通じた季節のサイクルにおいて、各季節ごとに収集する。
【００６７】
これにより、異常状態又は異常の予兆の検出に必要な、過去の運転データを全て記憶することが無く、記憶部１０４に記憶する記憶容量を少なくすることが可能となる。
【００６８】
＜異常又は予兆の検出＞
次に、当該空気調和装置の異常状態又は異常の予兆の検出動作について説明する。
【００６９】
図４は製品寿命末期の故障による事故発生を説明する図である。
図４に示すように、空気調和装置は、経年により、経年劣化に伴う故障や省エネ効率が悪化する（運転状態が悪くなる。）。
このような運転状態の悪化を、未然に予兆することで、製品寿命末期の故障による事故を防ぐことが重要である。
本実施の形態における制御部１０１は、経年劣化に伴う故障や省エネ効率の悪化が発生し易い状態（以下「異常の予兆」という。）を検出する。
また、制御部１０１は、経年劣化に伴う故障や省エネ効率の悪化が発生した状態（以下「異常状態」という。）を検出する。
【００７０】
まず、制御部１０１の比較部１０２は、記憶部１０４に記憶された現在の季節に対応する過去の運転状態データと、現在の運転状態データとを比較して、当該空気調和装置の異常状態又は異常の予兆を検出する。
【００７１】
異常状態の検出においては、制御部１０１の比較部１０２は、記憶部１０４に記憶された運転状態データと、現在の運転状態データとの差が所定の閾値を超えたとき、当該空気調和装置の異常状態を検出する。
【００７２】
また、異常の予兆の検出においては、制御部１０１の比較部１０２は、現在の運転状態データが正常運転状態の範囲内であって、且つ、記憶部１０４に記憶された運転状態データと、現在の運転状態データとの差が所定の閾値を超えたとき、異常の予兆を検出する。
【００７３】
ここで、記憶部１０４に記憶された運転状態データと、現在の運転状態データとの比較は、例えば、過去の制御指令値と実績値との差と、現在の制御指令値と実績値との差とを比較する。
【００７４】
なお、上記説明では、記憶部１０４に予め記憶された所定の閾値を用いて、異常状態又は異常の予兆を検出したが、これに限らず、制御部１０１は、当該空気調和装置の運転時間の積算値を求め、該運転時間の積算値に応じて、所定の閾値を変化させるようにしても良い。
【００７５】
例えば、予め、記憶部１０４に、積算時間に対応する閾値のデータをテーブルとして用意しておき、運転積算時間が長くなるにつれて、当該所定の閾値を高く（異常と判断し易い値）にするようにしても良い。
【００７６】
＜ユーザーへの報知＞
次に、異常状態又は異常の予兆の検出結果の報知動作について説明する。
【００７７】
制御部１０１は、上記動作により、異常状態又は異常の予兆を検知したとき、報知部１０６、及びリモコン１０５の何れか一方又は両方により、当該異常状態又は異常の予兆を報知させる。
【００７８】
まず、報知部１０６による報知について説明する。
制御部１０１は、上記の動作により、異常状態又は異常の予兆を検出したとき、報知部１０６に、当該異常状態又は異常の予兆を報知させる。
例えば、ＬＥＤにより異常状態の場合は赤色を点灯させ、異常の予兆を検出した場合は黄色を点灯させる。また、例えば、当該検出内容の情報を液晶パネルに表示するようにしても良い。また、例えば、異常状態と異常の予兆とで異なるブザー音によりユーザーに報知しても良い。
【００７９】
なお、制御部１０１は、単位期間における当該空気調和装置の運転頻度を検出し、該運転頻度が所定の頻度より少ないとき、異常状態又は異常の予兆を報知部１０６に報知させるようにしても良い。
【００８０】
この運転頻度は、例えば、単位時間当たりのサーモオンオフ時間、サーモオンオフ回数、積算時間、圧縮機１の駆動モータの運転周波数等により、求めることができる。
【００８１】
このように、当該空気調和装置を利用する頻度が高い時期は報知を行わずに、利用する頻度が低いときに報知を行うことができる。
これにより、運転頻度の低い時期に、例えばメンテナンスや機器の交換を促すことができ、空気調和装置の利用頻度が高い時期に、空調不能となる可能性を減少させ、利用者の利便性、快適性を向上させることができる。
【００８２】
次に、リモコン１０５による報知について説明する。
記憶部１０４には、予め、各種の運転状態データの異常状態に対するユーザーの対処方法、又は異常の予兆に対する運転への影響の情報が設定される。
【００８３】
ここで、異常状態に対するユーザーの対処方法としては、例えば、製品寿命により機器を交換する必要がある旨（買い換え推奨）の情報などを設定する。また、例えば、当該異常を回避する処置内容の情報などを設定する。
【００８４】
また、異常の予兆に対する運転への影響としては、例えば、正常運転の範囲内であるものの、冷暖房能力が低下している旨や、省エネ効率が悪化している旨の情報などを設定する。また、買い換え時期が近づいている旨の情報を設定する。
【００８５】
なお、上記情報に代えて、異常内容に応じたコード番号の情報を記憶するようにしても良い。
【００８６】
制御部１０１は、上記動作により、異常状態又は異常の予兆を検出したとき、当該異常状態又は異常の予兆を検出した運転状態データに応じて予め設定された所定の情報を、リモコン１０５に送信する。
【００８７】
リモコン１０５は、制御部１０１からの情報を受信して当該情報を、例えば液晶パネルに表示する。
【００８８】
なお、異常状態又は異常の予兆を検出した各種の運転状態データのうち、ユーザーに開示する必要がある運転状態データを予め設定して、当該運転状態データの異常状態等のみを報知するようにしても良い。
【００８９】
（効果）
以上のように本実施の形態においては、過去の運転状態データと、現在の運転状態データとを比較して、当該空気調和装置の異常状態又は異常の予兆を検出するので、経年劣化に伴う故障や省エネ効率の悪化が発生した状態や、経年劣化に伴う故障や省エネ効率の悪化が発生し易い状態を検出して、製品寿命末期の故障による事故や省エネ効率の悪化を未然に防ぐことができる。
【００９０】
また、当該空気調和装置の設置場所における現在の季節を判断して当該季節を識別する情報と共に、現在の運転状態データの情報を記憶部１０４に記憶させる。
このため、異常状態又は異常の予兆の検出に必要な、過去の運転データを全て記憶することが無く、記憶部１０４に記憶する記憶容量を少なくすることが可能となる。
【００９１】
また、季節のサイクルの経過を判断し、当該サイクル数及び季節を識別する情報と共に、現在の運転状態データの情報を記憶部１０４に記憶させる。
このため、各年の各季節ごとに運転状態データを収集し、複数年にわたる運転状態データを収集しつつ、記憶部１０４に記憶する記憶容量を少なくすることが可能となる。
【００９２】
また、記憶部１０４に記憶された現在の季節に対応する過去の運転状態データと、現在の運転状態データとを比較して、当該空気調和装置の異常状態又は異常の予兆を検出する。
このため、運転状態が類似する過去の運転状態データと、現在の運転状態データとを比較して、精度良く、異常状態又は異常の予兆を検出することができる。
【００９３】
また、運転時間の積算値に応じて、所定の閾値を変化させる。
このため、経年劣化による故障の可能性や省エネ効率の悪化状態を、より精度良く検出することができる。
【００９４】
また、当該空気調和装置の運転頻度が所定の頻度より少ないとき、異常状態又は異常の予兆を報知する。
このため、当該空気調和装置を利用する頻度が高い時期は報知を行わずに、利用する頻度が低いときに報知を行うことができる。
したがって、運転頻度の低い時期に、例えばメンテナンスや機器の交換を促すことができ、空気調和装置の利用頻度が高い時期に、空調不能となる可能性を減少させ、利用者の利便性、快適性を向上させることができる。
【００９５】
また、異常状態又は異常の予兆を検出したとき、当該異常状態又は異常の予兆を検出した運転状態データに応じて予め設定された所定の情報を、リモコン１０５により報知する。
これにより、異常状態に対するユーザーの対処方法、又は異常の予兆に対する運転への影響の情報を、ユーザーに報知することができる。
【符号の説明】
【００９６】
１  圧縮機、２  四方弁、３  室外熱交換器、４  室外送風機、５  膨張弁、６  液接続配管、７  室内熱交換器、８  室内送風機、９  ガス接続配管、１００  運転制御手段、１０１  制御部、１０２  比較部、１０３  測定部、１０４  記憶部、１０５  リモコン、１０６  報知部、２０１  吐出温度センサ、２０２  ガス側温度センサ、２０３  室外温度センサ、２０４  液側温度センサ、２０５  液側温度センサ、２０６  室内温度センサ、２０７  ガス側温度センサ、３０１  室外機、３０２  室内機。
【図１】
2010210121.tif 000003
【図２】
2010210121.tif 000004
【図３】
2010210121.tif 000005
【図４】
2010210121.tif 000006